(57)【要約】  損傷した膨張式物品の封止のための装置が提供される。装置はシーラント化合物または組成物用の、加圧空気／気体源に着脱自在に取り付け可能である少なくとも１つの入口手段（４）を含む容器（１）と、容器（１）に結合され、物品に着脱自在に係合または接続される少なくとも１つの出口手段（１８）を有する抽出ユニットを含む抽出アッセンブリ（１０）と、容器（１）内に配置されるとともに、容器（１）への加圧空気／流体／気体の供給時に、容器（１）から抽出ユニット（１０）を介した被封止物品へのシーラント化合物または組成物の制御分注を可能にするように作動可能である手段（３０）とを含む。
2009507682.tif 000002
【特許請求の範囲】
【請求項１】
シーラント化合物または組成物を含むように構成され、加圧空気／気体源に着脱自在に取り付けられるように構成された少なくとも１つの入口手段を含む容器と、前記容器に結合されるように構成され、被封止物品に着脱自在に係合または接続されるように構成された少なくとも１つの出口手段を含む抽出ユニットを含む抽出アッセンブリと、前記容器内に配置されるとともに加圧空気／流体／気体の前記容器への供給時に、前記容器から前記抽出ユニットを介した前記被封止物品への前記シーラント化合物または組成物の制御分注を可能にするよう作動可能であるように構成された手段とを含む、膨張式物品を封止する装置。
【請求項２】
前記圧力源が空気圧縮機であり、その空気圧縮機により圧力下の空気を、前記少なくとも１つの入口手段を介して前記容器内に導入可能であり、前記少なくとも１つの入口手段が前記容器に結合される一方向バルブである請求項１に記載の装置。
【請求項３】
前記圧力源が、前記少なくとも１つの入口手段を介して前記容器に着脱自在に接続可能であるように構成された加圧空気／気体の少なくとも１つのボトル等容器であるとともに、前記少なくとも１つの入口手段が一方向バルブを含む請求項２に記載の装置。
【請求項４】
前記抽出ユニットに、前記容器から離れたその端部に起立面または支持面が設けられている請求項３に記載の装置。
【請求項５】
前記容器が、その上部から実質的に垂直に延びるネック部を含むボトル等であり、前記ネック部が前記容器の上部の実質的に中央に配置されている請求項４に記載の装置。
【請求項６】
前記ネック部がその長さ寸法の少なくとも一部に沿って延びている複数の雄ねじを有する請求項５に記載の装置。
【請求項７】
前記抽出ユニットが前記容器の前記ネック部に着脱自在に接続可能である請求項６に記載の装置。
【請求項８】
前記抽出ユニットがその長さ寸法の少なくとも一部に沿って延びる複数の雌ねじを含み、断面で見た場合前記抽出ユニットが実質的に円筒状である請求項７に記載の装置。
【請求項９】
前記抽出ユニットが一体の構造物であるとともに、その端部間の中間の位置に、その横方向に延びる壁または閉鎖手段を含み、前記壁または閉鎖手段が前記抽出ユニットを２つの部分に分割し、第１の部分は使用時に前記容器の前記ネック部内に配置されるように構成されるとともに、第２の部分は使用時に前記容器の前記ネック部から延びるまたは突出するように構成されている請求項８に記載の装置。
【請求項１０】
前記第１の部分が、実質的に前記ネック部の中央に配置されるとともに前記壁または閉鎖手段を通って延びる開口に流体接続された、前記第１の部分の長さと少なくとも同等な長さの中空円筒状突起を含み、前記突起が使用時に前記容器内に延びるように構成されている請求項９に記載の装置。
【請求項１１】
前記第２の部分が、前記壁または閉鎖手段の前記開口と流体接続し、前記抽出ユニットの横方向に突出する出口ダクトまたは手段を含み、前記出口ダクトまたは手段が、管、ホース等との着脱自在な接続を可能にして前記容器の内容物の通過を可能にする手段を含む請求項１０に記載の装置。
【請求項１２】
前記容器がプラスチック材料から製造されている請求項１１に記載の装置。
【請求項１３】
前記抽出ユニットが一体の構造物であるとともに、プラスチック材料から製造されている請求項１２に記載の装置。
【請求項１４】
前記プラスチック材料がリサイクル可能なプラスチック材料である請求項１２または請求項１３のいずれかに記載の装置。
【請求項１５】
前記出口ダクトまたは手段の自由端が面取りされている請求項１１に記載の装置。
【請求項１６】
前記抽出ユニットが少なくとも実質的に円筒状の接続部を含み、台部が前記接続部の端部に隣接し、前記台部の前記容器から遠い側が起立面として形成されている請求項１５に記載の装置。
【請求項１７】
充填ラインが前記抽出ユニットの前記第２の部分の前記出口ダクトまたは手段に接続されるように構成されており、前記充填ラインが前記被封止物品のバルブに係合可能である請求項１６に記載の装置。
【請求項１８】
前記充填ラインがホースである請求項１６に記載の装置。
【請求項１９】
前記分注手段が使用時に前記容器内に配置されるとともに前記抽出ユニットの前記第１の部分の前記中空突起と流体接続するように構成されており、前記分注手段が前記抽出ユニットから離間したその自由端と結合される流れ制御アッセンブリを有する所定長さの管の形状である請求項１８に記載の装置。
【請求項２０】
前記流れ制御アッセンブリが、前記管の前記自由端の上に載置される／前記自由端に結合されるように構成された実質的円筒状キャップ様部材と、使用時に差し込み口に結合されるように構成された封止手段とを含み、前記キャップ様部材がそこから延びる周辺スカートを有する基部を含み、前記基部が実質的にその中心に配置された前記差し込み口を含むとともに、前記基部が前記シーラント化合物または組成物の指向流を可能にする貫通して延びる対向開口を含む請求項１９に記載の装置。
【請求項２１】
前記キャップ様部材の前記基部に垂直に突出する前記差し込み口が、異なる径のものの並置された長さを含み、その接合線に肩部を有し、好適にはＯリングの形状の封止手段が圧力下で前記肩部と結合および分離するように移動可能であることにより、前記管内へのシーラント化合物の流れを制御する請求項２０に記載の装置。
【請求項２２】
使用時にシーラント化合物または組成物の容器に着脱自在に結合または接続されるように構成された抽出ユニットと、前記抽出ユニットと流体接続して前記容器内に配置されるように構成された手段とを含み、前記抽出ユニットが使用時に膨張式物品に着脱自在に接続されるように構成された少なくとも１つの出口手段を含み、それにより前記容器から前記抽出ユニットを介した前記膨張式物品内への前記シーラント化合物または組成物の流れを可能にし、前記手段が前記容器への加圧空気／流体／気体の供給時に、前記シーラント化合物または組成物の制御分注を可能にするように作動可能である、損傷した膨張式物品の封止／補修用のシーラント化合物または組成物の容器と共に使用する抽出アッセンブリ。
【請求項２３】
前記抽出ユニットに、使用時に前記容器から離れたその端部に起立面または支持面が設けられている請求項２２に記載の抽出アッセンブリ。
【請求項２４】
前記容器が、その上部から実質的に垂直に延びるネック部を含むボトル等であり、前記ネック部が前記容器の上部の実質的に中央に配置されている請求項２３に記載の抽出アッセンブリ。
【請求項２５】
前記ネック部がその長さ寸法の少なくとも一部に沿って延びている複数の雄ねじを有する請求項２４に記載の抽出アッセンブリ。
【請求項２６】
前記抽出ユニットが前記容器の前記ネック部に着脱自在に接続可能である請求項２５に記載の抽出アッセンブリ。
【請求項２７】
前記抽出ユニットがその長さ寸法の少なくとも一部に沿って延びる複数の雌ねじを含み、断面で見た場合前記抽出ユニットが実質的に円筒形状である請求項２６に記載の抽出アッセンブリ。
【請求項２８】
前記抽出ユニットが一体の構造物であるとともに、その端部間の中間の位置に、その横方向に延びる壁または閉鎖手段を含み、前記壁または閉鎖手段が前記抽出ユニットを２つの部分に分割し、第１の部分は使用時に前記容器の前記ネック部内に配置されるように構成されるとともに、第２の部分は使用時に前記容器の前記ネック部から延びるまたは突出するように構成されている請求項２７に記載の抽出アッセンブリ。
【請求項２９】
前記第１の部分が、実質的に前記ネック部の中央に配置されるとともに前記壁または閉鎖手段を通して延びる開口に流体接続された、前記第１の部分の長さと少なくとも同等な長さの中空円筒状突起を含み、前記突起が使用時に前記容器内に延びるように構成されている請求項２８に記載の抽出アッセンブリ。
【請求項３０】
前記第２の部分が、前記壁または閉鎖手段の前記開口と流体接続し、前記抽出ユニットの横方向に突出する出口ダクトまたは手段を含み、前記出口ダクトまたは手段が、管、ホース等との着脱自在な接続を可能にして前記容器の内容物の通過を可能にする手段を含む請求項２９に記載の抽出アッセンブリ。
【請求項３１】
前記容器がプラスチック材料から製造されている請求項３０に記載の抽出アッセンブリ。
【請求項３２】
前記抽出ユニットが一体の構造物であるとともに、プラスチック材料から製造されている請求項３１に記載の抽出アッセンブリ。
【請求項３３】
前記プラスチック材料がリサイクル可能なプラスチック材料である請求項３１または請求項３２のいずれかに記載の抽出アッセンブリ。
【請求項３４】
前記抽出ユニットの前記出口ダクトまたは手段の自由端が面取りされている請求項３３に記載の抽出アッセンブリ。
【請求項３５】
前記抽出ユニットが少なくとも実質的に円筒状の接続部を含み、台部が前記接続部の端部に隣接し、前記台部の前記容器から遠い側が起立面として形成されている請求項３４に記載の抽出アッセンブリ。
【請求項３６】
充填ラインが前記抽出ユニットの前記第２の部分の前記出口ダクトまたは手段に接続されるように構成されており、前記充填ラインが前記被封止物品のバルブに係合可能である請求項３５に記載の抽出アッセンブリ。
【請求項３７】
前記充填ラインがホースである請求項３６に記載の抽出アッセンブリ。
【請求項３８】
前記分注手段が使用時に前記容器内に配置されるとともに前記抽出ユニットの前記第１の部分の前記中空突起と流体接続するように構成されており、前記分注手段が前記抽出ユニットから離間したその自由端と結合される流れ制御アッセンブリを有する所定長さの管の形状である請求項３７に記載の抽出アッセンブリ。
【請求項３９】
前記流れ制御アッセンブリが、前記管の前記自由端の上に載置される／前記自由端に結合されるように構成された実質的円筒状キャップ様部材と、使用時に差し込み口に結合されるように構成された封止手段とを含み、前記キャップ様部材がそこから延びる周辺スカートを有する基部を含み、前記基部が実質的にその中心に配置された前記差し込み口を含むとともに、前記基部が前記シーラント化合物または組成物の指向流を可能にする貫通して延びる対向開口を含む請求項３８に記載の抽出アッセンブリ。
【請求項４０】
前記キャップ様部材の前記基部に垂直に突出する前記差し込み口が、異なる径の並置された長さのものを含み、その接合線に肩部を有し、好適にはＯリングの形状の封止手段が圧力下で前記肩部と結合および分離するように移動可能であることにより、前記管内へのシーラント化合物の流れを制御する請求項３９に記載の抽出アッセンブリ。
【請求項４１】
前記容器が、加圧空気／気体源に着脱自在に取り付けられるように構成された少なくとも１つの出口手段を含む請求項４０に記載の抽出アッセンブリ。
【請求項４２】
前記圧力源が空気圧縮機であり、その空気圧縮機により圧力下の空気を、前記少なくとも１つの入口手段を介して前記容器内に導入可能であり、前記少なくとも１つの入口手段が前記容器に結合される一方向バルブである請求項４１に記載の抽出アッセンブリ。
【請求項４３】
前記圧力源が、前記少なくとも１つの入口手段を介して前記容器に着脱自在に接続可能であるように構成された加圧空気／気体の少なくとも１つのボトル等容器であるとともに、前記少なくとも１つの入口手段が一方向バルブを含む請求項４２に記載の抽出アッセンブリ。
【請求項４４】
使用時に容器内に配置されるとともに請求項２２に記載されるような抽出ユニットと流体接続するように構成された所定長さの管等と、前記管等の自由端の上に載置される実質的円筒状キャップ様部材と、差し込み口に結合される封止手段とを含み、前記キャップ様部材がそこから延びる周辺スカートを有する基部を含むとともに、前記基部の実質的中央に配置されるとともに下方にかつ実質的に垂直に垂下する前記差し込み口をさらに含み、前記基部が前記シーラント化合物または組成物の指向流を可能にする貫通して延びる開口を含む、容器からのシーラント化合物または組成物の制御された一方向流を確実なものにする流れ制御アッセンブリ。
【発明の詳細な説明】
【技術分野】
【０００１】
本発明は一般には封止方法および装置に関し、特に膨張式物品の損傷後の適正な再封止に関する。排他的ではなく、より具体的には、本発明は例えば自動車、トラック、大型トラック、ライトバン等などの任意の形状の車両、ならびにオートバイ、自転車等で採用されるタイプの膨張式タイヤの封止に使用する方法および装置に関する。以下の説明を通して本発明による方法および装置の使用の、特定のかつ好適な状況、すなわち車輪付き車両用のパンクまたは他の損傷した膨張式タイヤの封止または再封止の場合を参照するが、本発明はその好適な使用状況に限定されるものではないことは理解されよう。事実本発明による方法および装置を採用して、意図する使用状況に関係なく、任意の形状の膨張式物品の封止または再封止を可能にすることもできる。
【背景技術】
【０００２】
いずれの車輪付き車両または運行手段の場合も、それに付随する１つまたは複数の膨張式タイヤ等が受ける損傷の可能性が常に存在する。このような損傷はパンクという形態であり、関連のタイヤを瞬時もしくは徐々に収縮させ、それにより車両のさらなる移動を阻止する、または少なくとも阻害する恐れがある。
【０００３】
これまで車両タイヤなどの損傷した膨張式物品の漏れを封止する多数の方法および手段が採用されてきた。１つの既知の方法において、タイヤ自体内のいかなるパンクも封止するように機能するシーラント化合物などの、特別なシーラント混合物または化合物を、例えば結合される従来のタイヤバルブを介して収縮または損傷タイヤ内に導入することが可能であり、それによりそのようなタイヤをその後、関連の車両を運転などにより再度移動可能にする圧力まで実質的に再膨張させることが可能になる。そのようなシーラント化合物の利用は、そのように損傷したタイヤに一時的な補修を提供することにより、車両をより恒久的な補修または実際の交換を行うことができる場所に搬送または移動可能にすることが分かっている。
【０００４】
既知の方法の実施によれば、適当な容器内に収容されているような適当なシーラント化合物（任意の既知のタイプの）が、圧力下で容器から分注され、そして次に、必ず結合されるタイヤバルブ（任意の既知のタイプの）を介してタイヤ内に注入される。これは挿入バルブの除去の有無によらず達成され得る。このような結果を生じるために、例えば圧縮機さらにはガスボトルのような、圧力下の空気または他の気体源へ容器を接続可能にする手段が含まれる。動作原理は、容器内の空気圧を増加させることによりその内容物をそこから分注するとともにタイヤ内に注入することができるというものである。
【０００５】
従来技術の方法および装置はすべて、特に容器からその内容物がすべて出される前に、そのような化合物の容器から再膨張されるタイヤへの注入が何らかの理由で中断された場合、シーラント化合物の逆流の可能性または危険性を完全に排除または防止することができなかった。これまで逆流の可能性を排除しようとする試みにおいて多数の手段が採用されてきたが、１つの例としては、封止化合物の通過を防止することを意図する円錐ダイアフラム等の利用がある。
【発明の開示】
【発明が解決しようとする課題】
【０００６】
本発明は封止化合物の分注が何らかの方法で中断されるときに、実質的に逆流が発生する可能性のない装置を提供することにより、従来の技術に付随する問題に対処しようとするものである。このような装置によれば、封止化合物の容器を加圧して、それにより化合物の為の容器からの出口を考慮に入れた任意の手段の完全性が常に維持される。
【０００７】
本発明の目的は、容器およびその内容物が取り扱いおよび出荷の際に確実に包装されるとともに、さらには必要な時、場所において、容易に利用可能であるように、タイヤのパンクシーラント化合物または組成物の容器の内部に、または共に組み込まれ得る封止装置を提供することである。
【０００８】
本発明のさらなる目的は、外部源からの気体／空気圧により動作されるがそのような圧力の緩和時に、上記の容器内に残っている残留シーラント化合物の不要な逆流に実質的に耐えられる、損傷した膨張式物品の補修／再封止の際に用いられるさらに改良された装置を提供することである。
【課題を解決するための手段】
【０００９】
本発明の一態様によれば、例えば車両タイヤ等の膨張式物品を封止する装置が提供され、上記装置はシーラント化合物または組成物を含むように構成され、加圧空気／気体源に着脱自在に取り付けられるように構成された少なくとも１つの入口手段（注入手段）を含む容器と、容器に結合されるように構成され、被封止物品に着脱自在に係合または接続されるように構成された少なくとも１つの出口手段（排出手段）を有する抽出ユニットを含む抽出アッセンブリと、容器内に配置されるとともに加圧空気／流体／気体の容器への供給時に、容器から被封止物品へのシーラント化合物または組成物の注入／排出を考慮して作動するように構成された手段とを含む。
【００１０】
本発明の他の態様によれば、前の段落に記載された装置を採用して、例えば車両タイヤ等の膨張式物品を封止または再封止する方法が提供され、上記方法は容器を加圧空気／流体／気体源に接続するステップと、容器を加圧することによりそこからのシーラント化合物または組成物の排出制御を可能にするステップと、シーラント化合物または組成物を膨張式物品に移送するステップと、必要に応じて該膨張式物品を再膨張させるステップとを含む。
【００１１】
本発明のさらなる態様によれば、損傷した膨張式物品の封止／補修の為に、シーラント化合物または組成物の容器と共に使用する抽出アッセンブリが提供され、上記抽出アッセンブリは使用時にシーラント化合物または組成物の容器に着脱自在に結合または接続されるように構成された抽出ユニットと、抽出ユニットと流体接続（ｆｌｏｗ  ｃｏｎｎｅｃｔｉｏｎ）して容器内に配置されるように構成された手段とを含み、上記抽出ユニットは使用時に膨張式物品に着脱自在に接続されるように構成された少なくとも１つの出口手段を含み、それにより容器から抽出ユニットを介した膨張式物品内へのシーラント化合物または組成物の流れを可能にし、上記手段は、容器への加圧空気／流体／気体の供給時に、そこからのシーラント化合物または組成物の制御分注を可能にするように作動可能である。
【００１２】
上記装置においては、特に好適な実施形態においてタイヤバルブまたは同等形状の少なくとも１つの入口手段が容器の肩部付近に位置する凹部内に、且つ抽出アッセンブリから離れて適当に配置されるように構成されており、容器自体はボトルの形状である。しかし代替の実施形態において、このような少なくとも１つの入口手段は、抽出アッセンブリから離れた容器またはボトルの他の場所に配置することもできる。単なる一例としてこのような少なくとも１つの入口手段を容器の基部内に配置してもよく、このような容器の基部は実質的に平坦ではなく、複数の支持脚を含むように窪んでいる。
【００１３】
抽出アッセンブリは例えば噛合ねじ部間の相互作用により容器に着脱自在に取り付けられるように構成されている。
【００１４】
抽出アッセンブリに設けられた少なくとも１つの出口手段は、好適には、少なくともいくぶんか抽出アッセンブリ自体の横方向に突出するように構成されたダクトの形状であり、ダクトが好適にはその外部自由端付近に、さらなる導管または管と容易に接続可能にして、被封止物品へのシーラント化合物の通過を可能にする手段を有する。特に好適な実施形態において、１つまたは複数の返し部等突起が出口ダクトの外周上に外部自由端付近において形成され、それにより管または導管の長さ方向との接続を容易にし得る。代替的には出口ダクトおよび管または導管の両方が、それに結合されるように構成されたねじ部を有することができる。
【００１５】
好適には装置は、１つまたは複数の長さの管の介在の有無に係わらず、使用時に抽出アッセンブリと結合されるように構成された封止手段をさらに含む。封止アッセンブリは好適には、基部と、貫通して延びる１つまたは複数の開口と一緒に、例えばＯリングなどの別体の封止手段を受容または着脱自在に保持することにより、抽出アッセンブリ内へのシーラント化合物の選択的な流れを可能にするように構成された下方垂下差し込み口とを含むキャップ様部材を含む。
【００１６】
本発明をより明瞭に理解するとともに実施するために、ここで本発明による装置の好適な実施形態を参照する。以下の説明は単に非限定例としておよび添付の図面を参照して提供される。
【発明を実施するための最良の形態】
【００１７】
車両のタイヤが被るパンクによるような損傷の場合に使用出来るよう準備された、車両内に保持または場合によっては収容することができる補修キットまたはセットとして機能する、本発明による装置の実施形態が示されている。装置は主要構成要素として、適当なシーラント化合物を収容し、使用時に加圧空気または気体源に着脱自在に接続可能であるように構成された耐圧容器１と、容器１に結合されるように構成された抽出アッセンブリと、必要に応じて容器から損傷タイヤ内へのシーラント化合物の制御分注を可能にする手段とを含む。必須ではないが好適には、容器１は使用の際、例えば図１および２に示すように倒立位置に配置され、抽出アッセンブリがプラットフォーム手段またはそのスタンドとして作用する。
【００１８】
ここで図面を参照すると容器１は適当な材料、例えばプラスチック材料（好適にはリサイクル可能なプラスチック材料）から構成されたボトルの形状であることが好ましい。容器１は実質的に円筒状のネック２を有し、ネック２には図示の好適な実施において雄ねじ部が設けられている。図示の特に好適な実施形態において容器１はその一体部として、好適には容器１全体の肩部６付近に位置する凹部５内に配置されるとともにネック２から遠位のバルブ手段４をさらに含む。「従来の」タイヤバルブ（一方向動作）の形状であることが好ましいバルブ手段４は、加圧空気もしくは適当な気体または流体源が空気／気体または他の流体を高圧で保持するボトル等の形状であろうと、代替的には圧縮機等（図示せず）の形状であろうと、その加圧空気もしくは適当な気体または流体源への容器１の容易な接続を可能にする。加圧空気もしくは適当な気体または流体源は、車両全体の一部として装着されていてもまたは必要に応じて使用するために別に保管されていてもよい。
【００１９】
容器１の実際の内容物に関して、それは本発明の一部を構成しない。既知の封止特性を有する任意の適当な化合物を用い得る。しかし特に好適な実施形態において封止化合物はラテックスベースではない。
【００２０】
装置は抽出アッセンブリをさらに含み、抽出アッセンブリは通常１０として示される抽出ユニットを一構成要素として含み、抽出ユニット１０は実質的に円筒状であるとともに、容器１のネック２に対して実質的に補完的なサイズおよび全体形状である。抽出ユニット１０も、好適には、例えば成形により適当なプラスチック材料から構成されている。しかし容器１および抽出ユニット１０両方の構成材料も形成方法も本発明の一部を構成しないことは理解されよう。
【００２１】
図示の好適な実施形態において装置は、その搬送および／または保管を容易にできる手段も含む。それは適当なプラスチック材料で好適に構成された把手７を含み、把手７は抽出ユニット１０に好適に着脱可能に取り付け得る。実質的にＬ形状の把手７はその１つのアームの端部付近に開口を含み、そのような開口は使用時に内部を通過して、抽出ユニット１０の外周に形成された所定形状の金具等突出部材８が配置されるように構成されている。把手７は上記開口付近に薄肉部９をさらに含み、それをヒンジとして作用させることにより、把手７の屈曲を可能にして非使用時に装置全体の保管を容易にする。
【００２２】
抽出アッセンブリ自体は第１の構成要素として、内部に設けられた一連のまたは複数の雌ねじ１２を有する第１の実質的円筒部１１を含む抽出ユニット１０を含み、そのような雌ねじ１２は容器のネック２の外部に設けられたものと補完的なサイズおよび形状であり、容器１のネック２のねじ部３との結合を可能にする。好適には容器１のネック２と抽出ユニット１０の第１の円筒部１１とは実質的に同じ長さである。
【００２３】
抽出ユニット１０は第１の円筒部１１の反対側の自由端に、第２の実質的円筒部１３をさらに含み、第２の円筒部１３は使用時に支持基部または土台を提供することにより、装置全体を、図１、２、３（ａ）、３（ｂ）および６に示す構成または配置で、任意の表面上に支持可能にする。円筒部１１および１３の接合部付近で抽出ユニット１０の横方向延長しているのは横板または壁１４であり、実質的にその中心に配置されるとともにそこから第１の円筒部１１の方向に上方に延びる、実質的に中空管状ダクト１５を有する。ダクト１５は抽出ユニット１０の第１の円筒部１１の最上先端を超えて、容器１の本体内に突出するのに十分な長さであることが好ましい。板または壁１４は複数の円周離間ビード等１６および１７をさらに含み、ビード１６は例えば図３（ａ）および３（ｂ）に示すように、容器１のねじ山付きネック２に対して抽出ユニット１０の配置を容易にするように機能する。
【００２４】
図示の好適な実施形態において、ダクト１５は抽出ユニット１０の中空下部内に下方に延び、出口ダクト１８内に合流し、後述するように必要に応じて容器１から被封止物品へのシーラント化合物の通過を可能にする。出口ダクト１８は、図示のように抽出ユニット１０から外側に突出するその最外自由端に、ある長さのホースまたは管（図示せず）への接続を可能にする手段を有することが好ましく、ホースまたは管を介して装置全体（容器１および結合する抽出アッセンブリ）を必要に応じて被封止物品に接続することができる。出口ダクト１８の自由端にはより大きい拡大外径部１９が設けられ、１つまたは複数の返し部（ｂａｒｂ）等２０がその外面の周囲に少なくとも部分的に形成されるとともに延びており、その上のある長さのホースまたは管を着脱自在に保持するのに役立つことが好ましい。１つの代替的装置において出口ダクトの自由端１８はねじ山が付けられて、ある長さの補完構成ホースまたは管への着脱自在な接続を可能にし、そして被封止物体への接続を可能にし得る。
【００２５】
容器１からのシーラント化合物の制御分注を可能にするとともに、シーラント化合物の逆流の可能性が完全に排除されない場合には最小限に抑えるために、本発明による装置は通常３０で示される浸漬管（ｄｉｐ−ｔｕｂｅ）アッセンブリをさらに含み、浸漬管アッセンブリは容器１内に収容または配置されるとともに抽出アッセンブリの抽出ユニット１０のダクト１５と流体接続するように構成されている。特に好適な実施形態、例えば図３（ａ）参照、において浸漬管アッセンブリ３０は使用時にその一端がダクト１５を覆って配置されるとともに、実質的に容器１自体の高さ寸法に沿って延びるように構成されたある長さの管３１の形状を取り、管３１のその端は、図面に示すように管３１が正しい位置にある場合、その外周が板１４の表面およびその周辺ビード１７と接触するような寸法の周辺フランジ３２を含む。図３（ｂ）の代替実施形態において、浸漬管アッセンブリ３０は２つの別体の並置されたある長さの管３１ａおよび３１ｂという形状であり、管３１ａは抽出ユニット１０のダクト１５を覆って配置されるとともに、第２のある長さの管３１ｂは前記第１のある長さの管３１ａの自由端を覆って圧入配置されている。その目的のためおよび図３（ｂ）に示すように、第１のある長さの管３１ａの自由端付近に小外径部３３が設けられている。各例では、図３（ａ）に示すように管３１の、または図３（ｂ）に示すように管３１ａの自由端において、通常４０で示される封止アッセンブリが設けられている。図示しないさらなる代替実施形態において、封止アッセンブリ４０はいかなる管も介在することなくダクト１５の自由端真上にまたは覆って配置し得る。
【００２６】
封止アッセンブリ４０に関して、これは管３１、３１ｂの自由端に設けられた周辺フランジ３４に着脱自在に結合または取り付けられるように構成されたキャップ部材４１の形状を取る。特に好適な実施形態においてキャップ部材４１は、実質的に平坦な基部４２とそこから下方に垂下する周辺スカート４３とを有する実質的に円筒状部材の形状を取る。基部４２は、その実質的に中心に配置された、形状が実質的に円筒状であるが異なる外径の隣接または連続部分を有し、それらの間に形成された肩部４５を有する下方垂下差し込み口（ｓｐｉｇｏｔ）４４を含む。基部４２は、好適には下方垂下差し込み口４４に対して対称的に配置された１つまたは複数の開口４６をさらに含む。封止アッセンブリ４０は例えばゴムのような任意の適当な材料のＯリングシール４７等封止部材をさらに含むことが好ましく、Ｏリングシール４７等封止部材は図４に示すように使用時には封止アッセンブリ４０内に配置されて、肩部４５に「位置する」ように構成されている。
【００２７】
ここで特に図６を参照して装置全体の動作原理をより詳細に説明する。
【００２８】
パンクタイヤを再封止することが望ましい場合、まず容器１（内部にシーラント化合物がある）をバルブ４および適当な管を介して加圧空気／気体／流体源に接続する。さらにその後、管を抽出ユニット１０の出口ダクト１８に、そこからタイヤ自体に接続する。空気または他の気体が圧力で容器１内に注入されると、図６において太矢印（→）により図示されるように容器１内で内圧が上昇して、Ｏリングシール４７が差し込み口４４から、肩部４５から離れるとともに管３１、３１ａに沿って、滑り落ちるように作用することにより、シーラント化合物が白抜き矢印により図示されるように容器１から、キャップ部材４１の基部４２内に設けられた開口４６を通って浸漬管３１、３１ａ内に、浸漬管長さに沿ってその後ダクト１５を通って抽出ユニット１０の出口ダクト１８内に流入し、その後タイヤ自体内に注入される。
【００２９】
封止機構を実際には浸漬管３１の端部に配置してもよく、または代替装置において抽出ユニットの第１の部分１１内に直接配置してもよい。これは容器が倒立位置においても空にすることが可能であり得るということを意味する。
【００３０】
本発明の出願者の装置は、容器１を倒立位置または直立位置で使用可能にし、さらには空にし得る。さらに本発明の装置は、加圧空気または他の気体源内へのシーラント化合物の逆流の危険性を実質的に排除するように機能する。容器が空になる前にシーラント化合物の注入が中断される場合には、結合される封止手段を有する浸漬管は逆流を防止するように作用し、一旦容器内の圧力が低下すると、Ｏリングシールは差し込み口４４の肩部４５上の位置に戻り、キャップ部材４１の開口４６を介するシーラント化合物のさらなる流出を防止する。
【００３１】
図示しないさらなる好適な実施形態において、抽出アッセンブリは例えば米国特許第４，３０８，７６６号明細書に示すような、タイヤバルブコア除去装置（および後続代替物）ならびに液体タイヤシーラント組成物を膨張式タイヤ内に注入する注入手段の両方を含む、既知のタイプの装置の形状であってもよい。
【００３２】
最後に以上の説明は単に本発明の好適な実施形態に言及するに過ぎないとともに、本発明の要旨と範囲とから逸脱することなく、その範囲が以下の特許請求の範囲から決定される変形例および変更例が可能であることは理解されよう。
【図面の簡単な説明】
【００３３】
【図１】好適な「使用」または倒立構成で配置された、本発明による装置の斜視図である。
【図２】図１と同様なさらなる斜視図である。
【図３ａ】図１の線３−３に沿った本発明による装置の第１の実施形態の断面図である。
【図３ｂ】本発明による装置の第２の実施形態の図３（ａ）と同様な図である。
【図４】シーラント化合物の逆流を防止または可能性を実質的に排除するための、本発明により採用された手段の断面図である。
【図５】図４の装置のそれぞれ下面および上面斜視および分解図を（左から右に）示す。
【図６】動作原理を図示する本発明による装置の分解図である。
【図１】
2009507682.tif 000003
【図２】
2009507682.tif 000004
【図３（ａ）】
2009507682.tif 000005
【図３（ｂ）】
2009507682.tif 000006
【図４】
2009507682.tif 000007
【図５】
2009507682.tif 000008
【図６】
2009507682.tif 000009
【国際調査報告】
2009507682.tif 000010
2009507682.tif 000011